(57)【要約】【課題】両面貼着テープを使用せずに、キャビネット本体と蓋体との間に簡単に構築できる防水構造を提供する、【解決手段】  パッキン３０は、環状のパッキン本体３１と複数の嵌合突起３２とを有し、嵌合突起３２を、印刷装置などのキャビネット本体１１の用紙収容部１８の開口２０を外囲するパッキン装着部２１に設けた複数の嵌合孔２２に嵌合させることによって、パッキン３０をパッキン装着部２１に液密に装着する。用紙収容部１８の開口２０を開閉する蓋体４０が、閉位置に配置されることによって、蓋体４０とパッキン３０の全周とが接触し、キャビネット本体１１と蓋体４０との間に防水構造を簡単に構築することができる。パッキン３０は、嵌合構造によってパッキン装着部２１に装着されるから、必要に応じて交換することが可能である。【選択図】  図３
2015150726.tif 000002
【特許請求の範囲】
【請求項１】
収容部と、該収容部を外部に開放させる開口を規定する開口部と、該開口部を外囲する予め定めるパッキン装着部とを有するキャビネット本体と、
前記キャビネット本体の前記開口を塞ぐ閉位置と前記開口を開放させる開位置とにわたって変位可能な蓋体と、
前記パッキン装着部に装着される環状のパッキンであって、前記蓋体が前記閉位置に配置されたときに、該蓋体に全周が接触するパッキンとを含む防水構造であって、
前記パッキンは、環状のパッキン本体と、該パッキン本体に突設される複数の嵌合突起とを有し、
前記パッキン装着部には、前記各嵌合突起を液密にそれぞれ嵌合させるための複数の嵌合孔が設けられ、
前記パッキンは、前記複数の嵌合突起を、前記複数の嵌合孔にそれぞれ嵌合させて、前記パッキン装着部に装着されることを特徴とする防水構造。
【請求項２】
前記各嵌合突起は、前記パッキン本体の周方向の全周に互いに間隔をあけて突設されることを特徴とする請求項１に記載の防水構造。
【請求項３】
前記各嵌合突起は、前記パッキン本体から離反するにつれて前記嵌合孔の内径よりも小径となるテーパ部を有することを特徴とする請求項１または２に記載の防水構造。
【請求項４】
前記各嵌合突起は、前記嵌合孔に嵌合させた状態で該嵌合孔から突出する、該嵌合孔の内径よりも大径の大径部を有することを特徴とする請求項１から３のいずれか１つに記載の防水構造。
【請求項５】
前記パッキン装着部は、前記開口側へ突出する環状のパッキン上載部を有し、
前記嵌合孔は、前記パッキン装着部を貫通し、
前記嵌合突起は、前記嵌合孔に嵌合させた状態で、前記パッキン装着部から、把持することができる予め定める長さだけ突出していることを特徴とする請求項１から４のいずれか１つに記載の防水構造。
【請求項６】
前記パッキン本体は、略長方形であり、
前記嵌合突起は、前記パッキン本体の長方形の各辺それぞれに、少なくとも３つ以上設けられていることを特徴とする請求項１から５のいずれか１つに記載の防水構造。
【請求項７】
請求項１から６のいずれか１つに記載の防水構造を備える印刷装置であって、
前記収容部に印刷用紙が収容され、前記キャビネット本体または前記蓋体に前記印刷用紙に印刷するための印字ヘッドが設けられることを特徴とする印刷装置。
【発明の詳細な説明】
【技術分野】
【０００１】
本発明は、蓋体とキャビネット本体との間に装着したパッキンによって構築される防水構造、および、キャビネット本体に備えられる用紙収容部に印刷用紙を補充するため、あるいはメンテナンスのため、用紙収容部の開口を開閉可能に閉止する蓋体が設けられた印刷装置において、蓋体とキャビネット本体との間に装着したパッキンによって、液密な防水構造を設けた印刷装置に関する。
【背景技術】
【０００２】
ＰＯＳ（Point of sale）システムでは、図９に示すようなＰＯＳ端末装置１や、ＥＣＲ（Electronic Cash Register）端末装置などが用いられる。ＰＯＳ端末装置１は、表示装置２、印刷装置３、キーボード４などが、キャビネット本体７に備えられる。
【０００３】
印刷装置３は、レシート排出口５が形成された蓋体６を有する。蓋体６は、キャビネット本体７の内部に備えられる用紙収容部の開口を、開閉可能に閉止する。また印刷装置３には、キャビネット本体７または蓋体６に印字ヘッドが設けられる。キーボード４から、販売商品の商品名，金額等を入力すると、その内容が表示装置２に表示され、販売した合計の金額を計算した後、それを表示装置２に表示する。その後、印字ヘッドによって、印刷用紙に、商品取引情報を文字、記号、画像で印刷し、レシートとしてレシート排出口５から排出する。特許文献１に、このような印刷装置３を備えるＰＯＳ端末装置１の一例が記載されている。
【０００４】
キャビネット本体７と蓋体６とは、たとえばヒンジなどで回動可能に連結されている。蓋体６を回動することで、キャビネット本体７の用紙収容部を開放して、印刷用紙の交換および補充、または内部のメンテナンスが可能となっている。
【０００５】
蓋体６とキャビネット本体７との間には、蓋体６が用紙収容部の開口を閉止する位置に配置された状態で、両者の間の隙間から水などが浸入するのを防ぐための防水構造を設ける場合がある。たとえば、自動車のサービスステーションやガソリンスタンドで使用されるＰＯＳ端末装置１は、屋外に設置されることが多く、風雨に晒されるので、開閉部に防水構造を設けることが必要である。
【０００６】
蓋体やドアのような開閉箇所の防水構造として、従来、主にラバー（弾性樹脂）製のパッキンを使用したものがある。パッキンを用いて防水構造を構築する場合、（ａ）開閉動作する蓋体またはドア側にパッキンを装着する構造、（ｂ）開閉動作しない側、すなわちキャビネット本体やベース側にパッキンを装着する構造、の２種類がある。
【０００７】
（ａ）の構造は、携帯電話のコネクタの開閉部など、主として小型の構造物に適用される場合が多い。蓋体やドアとパッキンとが容易に分離しないように、蓋体またはドア自体をパッキンと同じ材料で製作したり、樹脂製の蓋体またはドアとパッキンとを一体成型で製作したりする。
【０００８】
（ｂ）の構造は、業務用機器や家庭用住居のドアなど、比較的大形の開閉部材が開閉動作する箇所に適用される場合が多い。大形の開閉部材の場合、パッキンを、蓋体またはドアに対し容易には分離しないように装着するのが困難なことがしばしばある。そこで、パッキンが容易には脱落しないように、キャビネット本体またはベース側にパッキンを粘着テープ等で貼り付ける構造が採用される。
【０００９】
ガソリンスタンドなどで使用されるＰＯＳ端末装置１では、印刷用紙が収納されるとともに、印刷後は印刷用紙をレシートとして排出するため、蓋体の開閉箇所は比較的大きな開口面積を有し、かつ、頻繁に開閉動作される。そのため、前記（ｂ）による防水構造が主として採用されている。
【先行技術文献】
【特許文献】
【００１０】
【特許文献１】特開平８−２４９５４２号公報
【発明の概要】
【発明が解決しようとする課題】
【００１１】
ガソリンスタンドなど、屋外で使用されるＰＯＳ端末装置１では、印刷用紙交換用のために設けた開口部から浸水するのを防ぐため、従来は、発泡合成樹脂製のクッション材をキャビネット本体の開口部に両面貼着テープで貼り付け、蓋体を閉じた状態のとき、蓋体でこのクッション材を圧縮することによって防水を行っていた。この構造は、クッションを圧縮し、開閉箇所の隙間をなくすことで浸水経路をなくしているが、実際に水が接触すると、発泡合成樹脂製のクッション材は水を吸収するため、一定量以上の水を吸収すると、キャビネット本体の内部に水が浸入する可能性がある。
【００１２】
また、クッション材を固定するため両面貼着テープを用いているが、両面貼着テープの接着機能を十分に発揮させるには、両面貼着テープの幅を大きくしなければならず、両面貼着テープの幅に合わせて、クッション材の幅も大きくしなければならない。しかしながら限られたスペース内に多くのデバイスが組み込まれるＰＯＳ端末装置１では、デバイスを多数搭載させるために、防水構造に使用される部分をなるべく小さくすることが求められ、両面貼着テープの使用が困難になっている。
【００１３】
さらに近年、決済方法の複雑化に伴い、キャビネット本体の限られたスペース内に搭載されるデバイスの個数が増加したため、キャビネット本体に、クッション材を固定するための両面貼着テープを貼り付けるための面積を有する領域の確保が困難になっている。このような事情によっても、両面貼着テープによる防水構造を構築することが難しくなってきている。
【００１４】
本発明の目的は、両面貼着テープを使用せずにキャビネット本体と蓋体との間に簡単に構築できる防水構造、および、この防水構造を利用した印刷装置を提供することである。
【課題を解決するための手段】
【００１５】
本発明は、収容部と、該収容部を外部に開放させる開口を規定する開口部と、該開口部を外囲する予め定めるパッキン装着部とを有するキャビネット本体と、
前記キャビネット本体の前記開口を塞ぐ閉位置と前記開口を開放させる開位置とにわたって変位可能な蓋体と、
前記パッキン装着部に装着される環状のパッキンであって、前記蓋体が前記閉位置に配置されたときに、該蓋体に全周が接触するパッキンとを含む防水構造であって、
前記パッキンは、環状のパッキン本体と、該パッキン本体に突設される複数の嵌合突起とを有し、
前記パッキン装着部には、前記各嵌合突起を液密にそれぞれ嵌合させるための複数の嵌合孔が設けられ、
前記パッキンは、前記複数の嵌合突起を、前記複数の嵌合孔にそれぞれ嵌合させて、前記パッキン装着部に装着されることを特徴とする防水構造である。
【００１６】
また本発明は、前記各嵌合突起が、前記パッキン本体の周方向の全周に互いに間隔をあけて突設されることを特徴とする。
【００１７】
また本発明は、前記各嵌合突起が、前記パッキン本体から離反するにつれて前記嵌合孔の内径よりも小径となるテーパ部を有することを特徴とする。
【００１８】
また本発明は、前記各嵌合突起が、前記嵌合孔に嵌合させた状態で該嵌合孔から突出する、該嵌合孔の内径よりも大径の大径部を有することを特徴とする。
【００１９】
また本発明は、前記パッキン装着部が、前記開口側へ突出する環状のパッキン上載部を有し、前記嵌合孔が、前記パッキン装着部を貫通し、前記嵌合突起が、前記嵌合孔に嵌合させた状態で、前記パッキン装着部から、把持することができる予め定める長さだけ突出していることを特徴とする。
【００２０】
また本発明は、前記パッキン本体が、略長方形であり、前記嵌合突起が、前記パッキン本体の長方形の各辺それぞれに、少なくとも３つ以上設けられていることを特徴とする。
【００２１】
さらに本発明は、前記防水構造を備える印刷装置であって、前記収容部に印刷用紙が収容され、前記キャビネット本体または前記蓋体に前記印刷用紙に印刷するための印字ヘッドが設けられることを特徴とする印刷装置である。
【発明の効果】
【００２２】
本発明によれば、環状のパッキン本体の複数の嵌合突起を、キャビネット本体の収容部の開口を外囲するパッキン装着部に設けた複数の嵌合孔に嵌合させることによって、パッキンをパッキン装着部に液密に装着するので、収容部の開口を開閉する蓋体が、閉位置に配置されることによって、蓋体とパッキンの全周とが接触し、キャビネット本体と蓋体との間に防水構造を簡単に構築することができる。
【００２３】
パッキンは、嵌合構造によってパッキン装着部に装着されるから、必要に応じて交換することが可能である。
【００２４】
また本発明によれば、各嵌合突起が、パッキン本体の周方向の全周に互いに間隔をあけて突設されるから、パッキン本体の全周をパッキン装着部に確実に密接させて、信頼性の高い防水構造を得ることができる。また、装着後のパッキンは、嵌合突起が全周に設けられることによって、パッキン装着部から脱離しにくくなる。
【００２５】
また本発明によれば、各嵌合突起が、パッキン本体から離反するにつれて嵌合孔の内径よりも小径となるテーパ部を有するから、テーパ部は、その小径部分を嵌合孔に挿入することによって、各嵌合突起を嵌合孔へ嵌合させる際の案内機能を発揮する。その結果、パッキン装着作業を効率的に行うことが可能となる。
【００２６】
また本発明によれば、各嵌合突起が、嵌合孔に嵌合させた状態で嵌合孔から突出し、該嵌合孔の内径よりも大径の大径部を有するから、装着後のパッキンは、パッキン装着部から容易には離脱することがない。
【００２７】
また本発明によれば、パッキン装着部が、開口側へ突出する環状のパッキン上載部を有し、嵌合孔がパッキン装着部を貫通し、嵌合突起が、嵌合孔に嵌合した状態で、パッキン装着部から、把持することができる予め定める長さだけ突出しているので、嵌合突起の突出部分を指でつまんで引っ張ることによって、パッキンをパッキン装着部に密接させることができる。
【００２８】
また本発明によれば、パッキン本体が略長方形であり、嵌合突起が、パッキン本体の長方形の各辺それぞれに、少なくとも３つ以上設けられているので、パッキン本体をパッキン装着部に装着するための嵌合突起の個数が多くなり、パッキン本体の一部が凹んだり、反対にパッキン装着部から部分的に浮きあがったりするのを防止できる。また、パッキンがパッキン装着部から容易には脱離しなくなる。
【００２９】
また本発明によれば、簡単な構造で、キャビネット本体と蓋体との間に液密性に優れた防水構造が構築された印刷装置を提供することができる。
【図面の簡単な説明】
【００３０】
【図１】本発明の第１実施形態に係るものであって、印刷装置が設けられるＰＯＳ端末装置１０のキャビネット本体１１における上面構成部材１７を示す斜視図である。
【図２】本発明の第１実施形態に係るものであって、キャビネット本体１１の一部を拡大して示す斜視図である。
【図３】本発明の第１実施形態に係るものであって、キャビネット本体１１の一部とパッキン３０とを分離して示す斜視図である。
【図４】本発明の第１実施形態に係るパッキン３０の一部を拡大して示す斜視図である。
【図５】本発明の第１実施形態に係るものであって、パッキン３０を装着した状態のキャビネット本体１１の一部を拡大して示す斜視図である。
【図６】本発明の第１実施形態に係るものであって、図６（Ａ）は、パッキン３０とキャビネット本体１１とを分離して示す断面図、図６（Ｂ）は、パッキン３０をキャビネット本体１１のパッキン装着部２１に装着した状態を示す断面図である。
【図７】本発明の第２実施形態に係るものであって、図７（Ａ）は、パッキン本体５０とキャビネット本体１１とを分離して示す断面図、図７（Ｂ）は、パッキン本体５０をキャビネット本体１１の環状溝２４に装着した状態を示す断面図、図７（Ｃ）は、蓋体４０を閉止して環状溝２４に装着したパッキン本体５０に当接させた状態の断面図である。
【図８】図８（Ａ）は、本発明の第３実施形態に係るパッキン本体５０を示す断面図、図８（Ｂ）は、本発明の第４実施形態に係るパッキン本体６０を示す断面図、図８（Ｃ）は、本発明の第５実施形態に係るパッキン本体７０を示す断面図である。
【図９】従来の印刷装置３を備えるＰＯＳ端末装置１の斜視図である。
【発明を実施するための形態】
【００３１】
［第１実施形態］
本発明の実施形態を図面を参照して説明する。図１から図６は本発明の第１実施形態に係るものであって、図１は、印刷装置が設けられるＰＯＳ端末装置１０のキャビネット本体１１における上面部構成部材１７を示す斜視図、図２は、キャビネット本体１１の一部を拡大して示す斜視図、図３は、キャビネット本体１１の一部とパッキン３０とを分離して示す斜視図、図４は、パッキン３０の一部を拡大して示す斜視図、図５は、パッキン３０を装着した状態のキャビネット本体１１の一部を拡大して示す斜視図、図６（Ａ）は、パッキン３０とキャビネット本体１１とを分離して示す断面図、図６（Ｂ）は、パッキン３０をキャビネット本体１１のパッキン装着部２１に装着した状態を示す断面図である。
【００３２】
図１は、ＰＯＳ端末装置１０のキャビネット本体１１における上面部構成部材１７を示すものである。ＰＯＳ端末装置１０は、表示装置、印刷装置、キーボードなどを備えるので、上面部構成部材１７は、表示装置、印刷装置、キーボードを取り付けるための表示装置取付部１２、印刷装置取付部１３、キーボード取付部１４を有する。
【００３３】
印刷装置は、印刷用紙として、たとえば長尺の用紙が巻回されたロール紙を収容する用紙収容部１８と、印刷用紙に印刷するための印字ヘッドと、キャビネット本体１１に設けられ、用紙収容部１８の開口２０を塞ぐ閉位置と開口２０を開放させる開位置とにわたって変位可能な蓋体４０とを備える。
【００３４】
キャビネット本体１１に設けられる蓋体４０は、閉位置と開位置とにわたって変位可能とするため、たとえば、蓋体４０の一端部と、キャビネット本体１１とをピンで連結して、揺動自在に支持する構造が考えられる。蓋体４０を、キャビネット本体１１に対し開閉可能に設ける構造は、上記に限定されるものではない。前述のように開閉可能な蓋体４０は、印刷用紙の交換または補充が必要なとき、開位置に変位させて、用紙収容部１８を開放状態にする。
【００３５】
図示は省略したが、本実施形態の印刷装置は、印刷用紙を引き出して外部へ搬送するための用紙搬送装置や、印刷を完了した用紙を切断するための切断装置が備えられる。用紙搬送装置は、たとえば、印刷用紙を搬送する搬送ローラや、印刷用紙を一定の張力で送り出す案内ローラなどを有している。
【００３６】
キャビネット本体１１には、用紙収容部１８を外部に開放させる開口２０を規定する開口部１９と、開口部１９の開口２０を外囲するパッキン装着部２１とを有する。パッキン装着部２１には、複数の嵌合孔２２が設けられる。
【００３７】
本実施形態のパッキン装着部２１は、図６に示すように、開口２０側へ突出する環状のフランジ状部分であって、上面に、パッキン３０が載置されるパッキン上載部２１ａを有している。嵌合孔２２は、開口２０の軸と平行な方向に、パッキン装着部２１を貫通する。
【００３８】
パッキン３０は、シリコンなどの防水性を有する合成樹脂やゴムなどの弾性材料で製作され、環状のパッキン本体３１と、パッキン本体３１に突設される複数の嵌合突起３２とを有する。各嵌合突起３２は、パッキン本体３１の周方向の全周に、互いに予め定められる間隔をあけて突設される。本実施形態では、パッキン本体３１が略長方形であって、嵌合突起３２は、パッキン本体３１の長方形の各辺それぞれに、少なくとも３つ以上、略等間隔に設けられる。嵌合突起３２の形成間隔は約１５ｍｍから３０ｍｍである。一辺あたりに設ける嵌合突起３２の個数は、長辺と短辺との長さの比率や、各辺の長さに基づいて決定される。
【００３９】
パッキン装着部２１の嵌合孔２２と、パッキン３０の嵌合突起３２とは、同数、同間隔に設けられる。
【００４０】
パッキン３０は、防水性を常時確保するため、容易に外すことのできない構造が求められる。従来、パッキン３０を固定するには、両面貼着テープや接着剤を用いていたが、両面貼着テープの接着面積が不十分な場合や、交換などのメンテナンスの必要性から接着剤を使用できない場合が多くある。本実施形態では、パッキン３０のキャビネット本体１１への装着を、パッキン３０の全周に設けた複数の嵌合突起３２を、パッキン装着部２１に設けた各嵌合孔２２に圧入して固定する構造としたので、両面貼着テープも接着剤も使用せずに、パッキン３０を装着して、防水構造を構築できる。
【００４１】
パッキン３０の嵌合突起３２は、本実施形態では、嵌合孔２２の内径と等しいか、または、わずかに大きい外径を有する軸部３３と、軸部３３に連なり、軸部３３の外径よりも大きい外径を有する大径部３４と、大径部３４に連なり、パッキン本体３１から離反するにつれて嵌合孔２２の内径よりも小径となっている円錐台状のテーパ部３５と、テーパ部３５に連なり、嵌合孔２２の内径よりも小径の突出部３６とを有している。軸部３３の軸方向の長さ、すなわち、パッキン本体３１と大径部３４との間隔は、嵌合孔２２の軸方向の長さと略同じ寸法に設定されている。嵌合孔２２の内径よりも大径の大径部３４は、嵌合突起３２を嵌合孔２２に嵌合させた状態で、嵌合孔２２から突出して、嵌合孔２２の開口部の周囲に係合する。
【００４２】
パッキン３０の取り付けの際には嵌合突起３２を、パッキン装着部２１の嵌合孔２２に１つずつ圧入して固定する。パッキンの硬度は４０から５０°である。
【００４３】
パッキン３０を、キャビネット本体１１のパッキン装着部２１に装着するには、複数の嵌合突起３２を、複数の嵌合孔２２それぞれに嵌合させる。このとき、嵌合突起３２の突出部３６およびテーパ部３５の途中までが嵌合孔２２に挿入され、テーパ部３５における嵌合孔２２の内径よりも外径の大きい部分が、嵌合孔２２の開口縁部２３に係合する。この状態で、パッキン本体３０に押圧力を加えて、嵌合突起３２を、嵌合孔２２を貫通する方向へ移動させる。テーパ部３５は、嵌合突起３２の嵌合孔２２内への移動を案内する。嵌合突起３２は、弾性材料から成るので、テーパ部３５および大径部３４が弾発的に圧縮変形して嵌合孔２２を通過し、パッキン装着部２１のパッキン上載部２１ａとは反対側の面２１ｂに露出する。
【００４４】
軸部３３の軸方向の長さは、嵌合孔２２の軸方向の長さと略同じ寸法に設定されているので、嵌合突起３２を嵌合孔２２に嵌合させた状態では、図６（Ｂ）に示すように、嵌合孔２２の両端開口部を、パッキン本体３１と大径部３４とで挟持する構造となる。したがって、嵌合突起３２は、嵌合孔２２に対し、容易には脱落しないように嵌合される。
【００４５】
また、嵌合突起３２を嵌合孔２２に嵌合させる際に、嵌合孔２２から突出させた突出部３６を、指や工具で把持して引っ張ることにより、パッキン本体３１を、パッキン装着部２１に密接させることができる。突出部３６は、これを把持して引っ張ることができるように、予め定める長さ、たとえば５から１０ｍｍの長さを有している。突出部３６が、内部構造に干渉しない範囲であれば、１０ｍｍより長くすることも可能である。
【００４６】
パッキン装着部２１にパッキン３０が装着されることによって、図６（Ｂ）に示すように、蓋体４０をキャビネット本体１１の開口２０を閉止する閉位置に配置したとき、蓋体４０とパッキン３０とが全周にわたり接触して、防水構造を構築する。
【００４７】
嵌合突起３２を、パッキン本体３１の全周にわたって設けることによって、パッキン３０をパッキン装着部２１に装着するときに、パッキン本体３１が凹むのを防止することができる。また装着後に、部分的にパッキン本体３１が浮き上がるのを防止する。仮に、パッキン本体３１が部分的に凹んだり浮き上がったりした状態であると、蓋体４０を閉じたときに、凹んだ部分または浮き上がった部分の防水機能が低下して、浸水を招くおそれがあるが、本発明では、このおそれを解消できる。
【００４８】
［第２実施形態］
図７（Ａ）は、本発明の第２実施形態に係るパッキン本体５０とキャビネット本体１１とを分離して示す断面図、図７（Ｂ）は、パッキン本体５０をキャビネット本体１１の環状溝２４に装着した状態を示す断面図、図７（Ｃ）は、蓋体４０を閉止して環状溝２４に装着したパッキン本体５０に当接させた状態の断面図である。なお図面には、パッキン３０のパッキン本体５０のみを示し、嵌合突起３２については図示を省略した。
【００４９】
本実施形態の防水構造は、パッキン３０のパッキン本体５０の形態を変更したものである。本実施形態では、例えば、ＰＯＳ端末装置１０のキャビネット本体１１における用紙収容部１８の開口２０を外囲する部分に環状溝２４が設けられ、パッキン３０は、環状溝２４に装着される環状のパッキン本体５０を有する。図７（Ａ）に示すように、パッキン本体５０は、環状溝２４の底部に面する側、すなわち嵌合突起３２が突設される側の一方端部５２に、凹部５３が形成される。凹部５３は、たとえば断面矩形であり、環状のパッキン本体５２に沿って、嵌合突起３２の形成箇所を除き、断続的に形成される。一方端部５２に対向する他方端部５１、すなわち環状溝２４の開放側に面する他方端部５１は、凸状に形成される。本実施形態では断面三角形である。
【００５０】
本実施形態のパッキン本体５０は、図７（Ｂ）に示すように環状溝２４に装着され、図７（Ｃ）に示すように、蓋体４０を閉じると、蓋体４０に設けた突部４１が、パッキン本体５０の断面三角形の他方端部５１を、一方端部５２へ向かって押圧する。これによってパッキン本体５０は、他方端部５１が凹部５３に入り込む方向、すなわち環状溝２４の深さ方向ｙへ変形すると同時に、環状溝２４の幅方向ｘへ膨張するように変形し、その結果、パッキン本体５０の表面と環状溝２４の内面とが密接して、液密性に優れた防水構造が確実に構築される。
【００５１】
本実施形態のパッキン本体５０は、一方端部５２側に凹部５３を設けたことによって、蓋４０の突部４１などでパッキン本体５０を押圧したとき、パッキン本体５０の潰れしろを確保することができる。すなわち、パッキン本体５０を押圧したとき、凹部５３が容積を減少させるように変形するから、パッキン本体５０のｙ方向の圧縮が容易である。また、他方端部５１を断面三角形の凸状としたので、蓋４０に設けた突部４１などを当接させやすい。さらに、パッキン本体５０の側周面５４を、環状溝２４の内面とほぼ平行な形態としたことによって、パッキン本体５０を変形させずに環状溝２４へ容易に挿入することができるので、環状溝２４内でのパッキン本体５０の形状を安定させることができる。
【００５２】
仮にパッキンの断面形状が円形である場合、蓋４０の突部４１などでパッキン本体５０を圧縮するときに、パッキン本体５０が捩れたり環状溝２４内の一方側へ偏ったりして、パッキン本体５０と環状溝２４との間に隙間が形成され、防水性が損なわれる可能性がある。これに対し本実施形態のパッキン本体５０の形状であれば、上に述べた機能によって、確実な防水構造を提供することができる。
【００５３】
［第３から第５実施形態］
図８は、本発明に係るパッキン３０におけるパッキン本体のさらに異なる実施形態を示す断面図である。なお図面には、パッキン３０のパッキン本体のみを示し、嵌合突起３２については図示を省略した。また、押圧されて変形したときの状態を、二点鎖線で仮想的に示した。
【００５４】
図８（Ａ）に示す第３実施形態のパッキン本体６０は、嵌合突起３２が設けられる側の一方端部６２に断面矩形の凹部６３が設けられ、一方端部６２に対向する他方端部６１を、断面半円形の凸曲面に形成したものである。図８（Ｂ）に示す第４実施形態のパッキン本体７０は、嵌合突起３２が設けられる側の一方端部７２に断面矩形の凹部７３が設けられ、一方端部７２に対向する他方端部７１に、断面矩形の凸条を形成したものである。図８（Ｃ）に示す第５実施形態のパッキン本体８０は、その断面形状を、一方端部８２の幅寸法Ｗ１よりも、これに対向する他方端部８１の幅寸法Ｗ２が小さく、かつ、側周面８４が凸曲面となるように形成したものである。また、嵌合突起３２が設けられる側の一方端部８２に、断面半楕円形の凹部８３が設けられる。
【００５５】
このように、本発明におけるパッキン３０のパッキン本体は、様々な形態を採用することが可能である。
【００５６】
本発明に係る防水構造は、ＰＯＳ端末装置１０の印刷装置以外にも適用することができる。その他、本発明の実施形態は、前記に限定されるものではなく、実施の状況に応じ、適宜変更することが可能である。
【符号の説明】
【００５７】
１０    ＰＯＳ端末装置
１１    キャビネット本体
１７    上部構成部材
１８    用紙収容部
１９    開口部
２０    開口
２１    パッキン装着部
２１ａ  パッキン上載部
２２    嵌合孔
３０    パッキン
３１    パッキン本体
３２    嵌合突起
３３    軸部
３４    大径部
３５    テーパ部
３６    突出部
４０    蓋体
【図１】
2015150726.tif 000003
【図２】
2015150726.tif 000004
【図３】
2015150726.tif 000005
【図４】
2015150726.tif 000006
【図５】
2015150726.tif 000007
【図６】
2015150726.tif 000008
【図７】
2015150726.tif 000009
【図８】
2015150726.tif 000010
【図９】
2015150726.tif 000011